【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
参加者間の会議呼び出しにおけるオーディオを処理するための方法であって、
（ａ）十分に混合されたパケットのオーディオストリームを生成する工程であって、各パケットは、パケットヘッダおよびペイロードを有する、工程と、
（ｂ）部分的に混合されたパケットのオーディオストリームのセットを生成する工程であって、各パケットは、パケットヘッダおよびペイロードを有する、工程と、
（ｃ）十分に混合されたオーディオストリームおよび部分的に混合されたオーディオストリームにおいて各パケットをマルチキャストする工程と、
（ｄ）該各パケットにおけるパケットヘッダ情報に基づいてどのマルチキャストパケットを転送するかを決定する工程と
を包含する、方法。
【請求項２】
前記工程（ａ）および（ｂ）の前に、
前記参加者間の会議呼び出しを開始する工程と、
会議識別子情報（ＣＩＤ）および該開始された会議呼び出しにおける各参加者に関連付けられたネットワークアドレス情報を格納する工程と
をさらに含む、請求項１に記載の方法。
【請求項３】
スイッチングされた仮想回路（ＳＶＣ）を前記会議の呼び出し中の各参加者に割り当てる工程をさらに包含し、該格納する工程は、前記ＣＩＤおよびネットワークアドレス情報を格納する工程をさらに包含し、各参加者に対する前記ＣＩＤおよびネットワークアドレス情報は、各割り当てられたＳＶＣに基づいて取り出され得る、請求項２に記載の方法。
【請求項４】
前記参加者の入来するオーディオストリームにおけるエネルギーをモニタリングする工程と、
該モニタリングされたエネルギーに基づいて複数のアクティブスピーカを決定する工程と
をさらに包含する、請求項１に記載の方法。
【請求項５】
生成する工程（ａ）および（ｂ）は、所定の数のアクティブスピーカに基づいてアクティブスピーカ情報を有するパケットヘッダを生成し、前記決定する工程（ｄ）は、該パケットヘッダ中の該アクティブスピーカ情報に基づいてどのマルチキャストされたパケットを参加者に転送ことを決定するかを決定する、請求項４に記載の方法。
【請求項６】
前記アクティブスピーカ情報は、ＴＡＳおよびＩＡＳフィールドを含み、前記生成する工程（ａ）は、ＴＡＳおよびＩＡＳフィールドを含むパケットヘッダを有する完全に混合されたオーディオストリームを生成し、前記生成する工程（ｂ）は、ＴＡＳおよびＩＡＳフィールドを含むパケットヘッダを有する部分的に混合されたオーディオストリームのセットを生成する、請求項５に記載の方法。
【請求項７】
前記決定する工程（ｂ）は、前記各パケットヘッダ中の前記ＴＡＳおよびＩＡＳフィールド中の情報に基づいて、どのマルチキャストされたパケットを参加者に転送するかを決定する、請求項６に記載の方法。
【請求項８】
ＳＶＣにおいて処理される各パケットに対して前記決定する工程（ｄ）は、
該ＳＶＣのためにＣＩＤ値を取得する工程と、
該取得されたＣＩＤ値が該パケットのＴＡＳフィールド中の任意のＣＩＤ値を整合させるかどうかを決定し、整合が終了する場合、該取得されたＣＩＤ値が該パケット中のＩＡＳフィールド中の任意のＣＩＤ値に整合させるかどうかを決定する工程であって、それにより、該ＴＡＳフィールド中の該取得されたＣＩＤ値と任意のＣＩＤ値との間に整合が存在し、該ＩＡＳフィールド中の該取得されたＣＩＤ値と任意のＣＩＤ値との間に整合が存在する場合、該パケットが放棄される、工程と
を包含する、請求項６に記載の方法。
【請求項９】
前記パケットのＴＡＳフィールド中の前記取得されたＣＩＤ値と任意のＣＩＤ値との間に整合が存在しない場合、該ＴＡＳおよびＩＡＳフィールドを比較する工程をさらに包含し、それにより、該比較されたフィールドが同一である場合、該パケットは、ネットワークパケットに変換され得、該比較されたフィールドが同一ではない場合、該パケットは放棄され得る、請求項８に記載の方法。
【請求項１０】
前記パケットヘッダは、一連の情報をさらに含み、前記生成する工程（ａ）は、該シーケンス情報を含むパケットヘッダを有する完全に混合されたパケットのオーディオストリームを生成し、前記生成する工程（ｂ）は、該シーケンス情報を含むパケットヘッダを有するパケットの部分的に混合されたオーディオストリームのセットを生成する、請求項６に記載の方法。
【請求項１１】
前記生成する工程（ａ）は、完全に混合されたパケットのオーディオストリームを生成し、各パケットは、パケットヘッダおよびペイロードを有し、該ペイロードは、少なくとも３つのアクティブスピーカからの混合されたオーディオを含む、工程と、
前記生成する工程（ｂ）は、部分的に混合されたパケットのオーディオストリームのセットを生成し、各パケットは、パケットヘッダおよびペイロードを有し、パケットの部分的に混合されたオーディオストリームに対して、該ペイロードは、各受信アクティブスピーカのオーディオを除いた少なくとも３つのアクティブスピーカからの混合オーディオを含む、工程と
を包含する、請求項１に記載の方法。
【請求項１２】
前記決定する工程（ｄ）において、前記会議の呼び出しにおける参加者のネットワークアドレスを有するネットワークパケットに転送されるように決定されるパケットを処理する工程と、
該ネットワークパケットを該参加者に送信する工程と
をさらに包含する、請求項１に記載の方法。
【請求項１３】
アクティブスピーカである、会議呼び出し中の参加者からのネットワークを介して受信されたオーディオを混合する工程をさらに包含する、請求項１に記載の方法。
【請求項１４】
内部オーディオソースから受信されたオーディオおよびアクティブスピーカである会議呼び出し中の参加者からのネットワークを介して受信されたオーディオを混合する工程さらに包含する、請求項１に記載の方法。
【請求項１５】
参加者間の会議呼び出しにおけるオーディオを処理する会議ブリッジであって、
パケットの完全に混合されたオーディオストリームおよびパケットの部分的に混合されたオーディオストリームのセットを生成するオーディオソースであって、各パケットは、パケットヘッダおよびペイロードを有する、オーディオソースと、
スイッチと、
ネットワークインターフェースコントローラと
を含み、
該スイッチは、該ネットワークインターフェースコントローラと該オーディオソースとの間に接続され、該スイッチは、マルチキャスタをさらに含み、
該マルチキャスタは、該完全に混合されたオーディオストリームおよび部分的に混合されたオーディオストリームのセットを該ネットワークインターフェースコントローラにマルチキャストし、該ネットワークインターフェースコントローラは、該パケットの各々におけるパケットヘッダ情報に基づいて、どのマルチキャストされたパケットを転送するかを決定する、会議ブリッジ。
【請求項１６】
前記参加者間の会議呼び出しを開始する会議呼び出しエージェントをさらに含む、請求項１５に記載の会議ブリッジ。
【請求項１７】
該確立された会議呼び出しにおける各参加者に関連付けられた会議識別子情報（ＣＩＤ）およびネットワークアドレス情報を格納する格納デバイスをさらに含む、請求項１６に記載の会議ブリッジ。
【請求項１８】
前記格納デバイスは、ルックアップテーブルを含む、請求項１７に記載の会議ブリッジ。
【請求項１９】
前記ネットワークインターフェースコントローラは、スイッチングされた仮想回路（ＳＶＣ）を前記開始された会議呼び出しにおける各参加者に割り当て、前記格納デバイスは、各参加者に対するネットワークドレス情報が各割り当てられたＳＶＣに基づいて取り出され得るように、前記ＣＩＤおよびネットワークアドレス情報を格納する、請求項１７に記載の会議ブリッジ。
【請求項２０】
前記オーディオソースは、前記参加者のイングレスオーディオストリームにおけるエネルギーをモニタリングし、該モニタリングされたエネルギーに基づいてアクティブスピーカの数を決定する、請求項１５に記載の会議ブリッジ。
【請求項２１】
前記オーディオソースによって生成された前記パケットヘッダは、前記決定された数のアクティブスピーカに基づくアクティブスピーカ情報を有し、前記ネットワークインターフェースコントローラは、前記パケットヘッダの各々における該アクティブスピーカ情報に基づいて、どのマルチキャストされたパケットを参加者に転送するかを決定する、請求項２０に記載の会議ブリッジ。
【請求項２２】
前記アクティブスピーカ情報は、ＴＡＳおよびＩＡＳフィールドを含み、前記ネットワークインターフェースコントローラは、前記パケットヘッダの各々における該ＴＡＳおよびＩＡＳフィールド中の情報に基づいて、どのマルチキャストされたパケットを参加者に転送するかを決定する、請求項２１に記載の会議ブリッジ。
【請求項２３】
前記オーディオソースによって生成された前記パケットヘッダは、シーケンス情報をさらに含む、請求項２２に記載の会議ブリッジ。
【請求項２４】
前記完全に混合されたパケットのオーディオストリームは、少なくとも３つのアクティブスピーカからの混合されたオーディオを含むペイロードを有し、前記セットにおける部分的に混合されたパケットのオーディオストリームの各々は、各受信アクティブスピーカのオーディオを除いた該少なくとも３つのアクティブスピーカからの混合されたオーディオを含むペイロードを有する、請求項１５に記載の会議ブリッジ。
【請求項２５】
前記会議呼び出しにおける参加者のネットワークアドレスを有するネットワークパケットに転送されるように決定されたパケットを処理するパケットプロセッサをさらに含む、請求項１５に記載の会議ブリッジ。
【請求項２６】
前記オーディオソースは、アクティブスピーカである、会議呼び出し中の参加者からネットワークを介して受信されたオーディオを混合する、請求項１５に記載の会議ブリッジ。
【請求項２７】
内部オーディオソースから受信された混合オーディオおよびアクティブスピーカである会議呼び出し中の参加者からのネットワークを介して受信されたオーディオを混合する、請求項１５に記載の会議ブリッジ。
【請求項２８】
参加者間の会議呼び出しにおけるオーディオを処理するためのシステムであって、
（ａ）完全に混合されたパケットのオーディオストリームを生成するための手段であって、パケットの各々は、パケットヘッダおよびペイロードを有する、手段と、
（ｂ）部分的に混合されたパケットのオーディオストリームのセットを生成するための手段であって、各パケットは、パケットヘッダおよびペイロードを有する、手段と、
（ｃ）該完全に混合されたオーディオストリームおよび該部分的に混合されたオーディオストリームのセット中の各パケットをマルチキャストするための手段と、
（ｄ）該各パケット中のパケットヘッダ情報に基づいて、どのマルチキャストされたパケットを転送されるかを決定するための手段と
を含む、システム。
【請求項２９】
参加者間の会議呼び出しにおけるオーディオを処理する分散会議ブリッジを含むＶＯＰネットワークにおける使用のためのメディアサーバであって、該分散会議ブリッジは、
完全に混合されたパケットのオーディオストリームおよび部分的に混合されたパケットのオーディオストリームのセットを生成するオーディオソースであって、各パケットはパケットヘッダおよびペイロードを有する、オーディオソースと、
スイッチと、
ネットワークインターフェースコントローラと
を含み、
該スイッチは、該ネットワークインターフェースコントローラと該オーディオソースとの間に接続され、該スイッチは、マルチキャスタをさらに含み、
該マルチキャスタは、該完全に混合されたオーディオストリームおよび部分的に混合されたオーディオストリームのセット中の各パケットを該ネットワークインターフェースコントローラにマルチキャストし、該ネットワークインターフェースコントローラは、該各々のパケットにおけるパケットヘッダ情報に基づいて、どのマルチキャストされたパケットを転送するかを決定する、ＶＯＰネットワークにおける使用のためのメディアサーバ。
【請求項３０】
ネットワークを介してエグレスオーディオチャネルに供給されたノイズのないオーディオをスイッチンングするための方法であって、
（ａ）該エグレスオーディオチャネルのためのエグレスパケットの第１のオーディオストリームを生成する工程であって、各エグレスパケットは、オーディオおよび制御ヘッダ情報を搬送するためのペイロードを含む、工程と、
（ｂ）該エグレスオーディオチャネルに関連付けられた第１のネットワークインターフェースコントローラに該第１のオーディオストリームをスイッチングかつ配信する工程と、
（ｃ）エグレスパケットの第２のオーディオストリームを生成する工程であって、各エグレスパケットは、オーディオおよび制御ヘッダ情報を搬送するペイロードを含む、工程と、
（ｄ）該エグレスオーディオチャネルに関連付けられた第１のネットワークインターフェースコントローラに該第２のオーディオストリームをスイッチングかつ配信する工程と、
（ｅ）該エグレスパケットの制御ヘッダ情報における優先度情報に基づいて該第１および第２のオーディオストリームの相対優先度を評価して、該ネットワークを介して該エグレスオーディオチャネルに転送するために、該第１および該第２のストリームオーディオの内のどれがより高い優先度オーディオストリームであるかを決定する、工程と
を包含する、方法。
【請求項３１】
同期されたヘッダ情報を用いてパケットの出力エグレスオーディオストリームを作成するために、前記より高い優先度のオーディオストリームをパケット化する工程と、
前記ネットワークを介して、該出力オーディオチャネルにパケットの出力オーディオストリームを転送する工程と
をさらに包含する、請求項３０に記載の方法。
【請求項３２】
同期されたヘッダ情報を用いてパケットの出力エグレスオーディオストリームを作成するために、より低い優先度のオーディオストリームをパケット化する工程をさらに包含し、それにより、同期化されたヘッダ情報は、前記第１および第２のオーディオストリームの両方からオーディオに対して、前記ネットワークを介して前記出力オーディオチャネルに転送されたＩＰパケットにノイズなく保存される、請求項３０に記載の方法。
【請求項３３】
前記エグレスパケットの第１のオーディオストリームを第１のセルに変換する工程と、
前記エグレスパケットの第２のオーディオストリームを第２のセルに変換する工程とをさらに包含し、
前記スイッチングする工程（ｂ）は、前記エグレスオーディオチャネルに関連付けられたＳＶＣに該変換された第１のセルをスイッチングする工程を包含し、該スイッチングする工程（ｄ）は、該エグレスオーディオチャネルに関連付けられたＳＶＣに該変換された第２のセルをスイッチングする工程を包含する、請求項３０に記載の方法。
【請求項３４】
前記同期化されたヘッダ情報は、有用なＲＴＰ情報を包含する、請求項３１に記載の方法。
【請求項３５】
（ｆ）前記ネットワークを介して前記出力オーディオチャネル上の前記第１および第２のオーディオストリームの各々のオーディオペイロードを含むＩＰパケットを転送する前に、該第１および第２のオーディオストリームの各々に対する同期化されたＲＴＰヘッダ情報を決定する工程をさらに包含する、請求項３０に記載の方法。
【請求項３６】
第１のオーディオソースからオーディオを前もって搬送するエグレスオーディオチャネルに第２のオーディオソースからオーディオをノイズなくスイッチングするための方法であって、
該第２のオーディオソースにおけるエグレスパケットのオーディオストリームを生成する工程と、
該エグレスパケットのオーディオストリームを前記セルに変換する工程と、
該エグレスオーディオチャネルに関連付けられたスイッチング仮想回路（ＳＶＣ）に該変換されたセルをスイッチングする工程と、
該スイッチングされたセルを該エグレスパケットのオーディオストリームに戻すように変換する工程と、
同期化されたヘッダ情報を有するパケットの出力エグレスオーディオストリームを作成するために該オーディオストリームをパケット化する工程と、
該第１のオーディオソースから該オーディオの代わりに、ネットワークを介して該エグレスオーディオチャネルに該パケットの出力エグレスオーディオストリームを転送する工程と
を包含する、方法。
【請求項３７】
前記生成する工程は、呼び出しイベントに応答して、前記第２のオーディオソースにおけるエグレスパケットのオーディオストリームを生成する、請求項３６に記載の方法。
【請求項３８】
前記生成する工程は、呼び出しイベントに応答して、前記第２のオーディオソースにおけるエグレスパケットのオーディオストリームを生成し、該エグレスパケットのオーディオストリームは、音声、音楽、トーン、またはサウンドの内の少なくとも１つから選択されたオーディオのタイプを含む、請求項３６に記載の方法。
【請求項３９】
緊急条件、呼び出しシグナリング条件、非呼び出し者または呼び出し者情報に基づく呼び出しイベント、あるいは、オーディオ情報に対するリクエストの内の少なくとも１つに基づいて該呼び出しイベントを生成する工程をさらに含む、請求項３８に記載の方法。
【請求項４０】
オーディオ情報に対するリクエストに基づいて前記呼び出しイベントを生成する工程をさらに包含し、該オーディオ情報に対するリクエストは、広告、ニュース、スポーツ、金融、または他のオーディオコンテンツの内の少なくとも１つを含む、請求項３８に記載の方法。
【請求項４１】
インターネットを介した音声（ＶＯＩＰ）電話呼び出しのためにオーディオを介してノイズのないスイッチを導入するための方法であって、
宛先デバイスとメディアサーバとの間のＶＯＩＰ電話呼び出しを確立する工程と、
第１のオーディオソースに対する優先度情報を設定する工程と、
前記設定された優先度情報を含むエグレスパケットの第１のオーディオストリームを配信する工程と、
オーディオを介してノイズのないスイッチを受け取る利用可能性に関して呼び出しステータスを決定する工程と、
該呼び出しステータス決定工程は、該確立されたＶＯＩＰ電話呼び出しがオーディオを介してノイズのないスイッチを受け取るための候補であることを示す場合、オーディオを介してノイズのないスイッチを含む呼び出しイベントを処理する工程と
を包含する、方法。
【請求項４２】
前記処理する工程は、
オーディオを介して前記ノイズのないスイッチのための優先度情報を決定する工程と、
オーディオを介した該ノイズのないスイッチに対する該決定された優先度情報が前記第１のオーディオストリームの設定された優先度情報よりも大きい場合、該確立されたＶＯＩＰ電話呼び出し中のパケットの出力オーディオストリーム中のオーディオを介して該ノイズのないスイッチを転送する工程と
を包含する、請求項４１に記載の方法。
【請求項４３】
第２のオーディオソースにおけるエグレスパケットの第２のオーディオストリームを生成する方法であって、該オーディオストリームは、ペイロードにおけるオーディオを介して前記ノイズのないスイッチを有する、工程と、
エグレスパケットの第２のオーディオストリームをセルに変換する工程と、
前記確立されたＶＯＩＰ電話呼び出しのエグレスオーディオチャネルに関連付けられたＳＶＣに該変換されたセルをスイッチングする工程と、
該スイッチングされたセルを該エグレスパケットの第２のオーディオストリームに再度変換する工程と、
該確立されたＶＯＩＰ電話呼び出し中のパケットの出力オーディオストリームを作成するために、同期化されたヘッダ情報を有する該第２のオーディオストリームをパケット化する工程と、
前記第１のオーディオソースからのオーディオの代わりに、ネットワークを介して確立された該ＶＯＩＰ電話呼び出し中のエグレスオーディオチャネル上に該パケットの出力オーディオストリームを転送する工程と
をさらに包含する、請求項４２に記載の方法。
【請求項４４】
ネットワークを介してエグレスオーディオチャネルに供給されたノイズのないオーディオをスイッチングするためのシステムであって、
第１および第２のオーディオソースと、
該第１および第２のオーディオソースに接続されたスイッチと、
該スイッチに接続されたネットワークインターフェースコントローラと
を含み、
該第１のオーディオソースは、該エグレスオーディオチャネルのためにエグレスパケットの第１のオーディオストリームを生成し、各エグレスパケットは、オーディオおよび制御ヘッダ情報を運ぶためのペイロードを含み、
該第２のオーディオソースは、エグレスパケットの第２のオーディオストリームを生成し、各エグレスパケットは、オーディオおよび制御ヘッダ情報を運ぶためのペイロードを含み、該スイッチは、該第１および第２のオーディオストリームを該ネットワークインターフェースコントローラにスイッチングしかつ送達する、システム。
【請求項４５】
前記第２のオーディオソースに接続されたエグレスオーディオコントローラをさらに含み、該エグレスオーディオコントローラは、前記第２のオーディオストリームの生成を開始するために、該第２のオーディオソースに制御信号を送信する、請求項４４に記載のシステム。
【請求項４６】
前記エグレスオーディオコントローラは、前記第１のオーディオソース、前記スイッチ、および前記ネットワークインターフェースコントローラにさらに接続され、該エグレスオーディオコントローラは、ＶＯＩＰ電話呼び出しが確立される場合、前記第１のオーディオストリームの生成を開始するために制御信号を該第１のオーディオソースに送信し、該確立されたＶＯＩＰ電話呼び出しに関連付けられたエグレスオーディオ出力チャネルに関連付けられる場合、該ネットワークインターフェースコントローラを識別する制御信号を該スイッチに送信し、そして該確立されたＶＯＩＰ電話呼び出しに関連付けられたエグレスオーディオ出力チャネルに関連付けられる場合、該ネットワークインターフェースコントローラに制御信号を送信する、請求項４５に記載のシステム。
【請求項４７】
前記エグレスオーディオコントローラは、前記第１のオーディオソースにさらに接続され、該エグレスオーディオコントローラは、前記第１および第２のオーディオストリームにおける優先度情報を設定するために該第１および第２のオーディオソースに制御信号を送信する、請求項４６に記載のシステム。
【請求項４８】
同期化されたヘッダ情報およびオーディオペイロードを有するＩＰパケットを生成する少なくとも１つのパケットプロセッサをさらに含み、該オーディオペイロードは、該第１および第２のオーディオストリームにおいて運ばれたオーディオペイロードを含む、請求項４４に記載のシステム。
【請求項４９】
前記ネットワークインターフェースコントローラは、前記第１および第２のオーディオストリームの相対優先度に基づいて、どの前記ＩＰパケットを転送するかを動的に選択し、前記スイッチは、パケットスイッチまたはセルスイッチを含む、請求項４８に記載のシステム。
【請求項５０】
前記第１のオーディオソースおよび前記第２のオーディオソースの内の少なくとも１つは、前記各第１および第２のオーディオストリームのためのオーディオを内部で生成する、請求項４４に記載のシステム。
【請求項５１】
前記第１のオーディオソースおよび前記第２のオーディオソースの内の少なくとも１つは、前記各第１および第２のオーディオストリームのためのオーディオを生成するように内部ソースからオーディオを変換する、請求項４４に記載のシステム。
【請求項５２】
第２のオーディオソースから、第１のオーディオソースからのオーディオを前もって運ぶエグレスオーディオチャネルにノイズのないスイッチングのためのシステムであって、
該第２のオーディオソースにおいてエグレスパケットのオーディオストリームを生成するための手段と、
該エグレスオーディオチャネルに関連付けられたＳＶＣに該変換されたセルを切り替えるための手段と、
該スイッチングされたセルをエグレスパケットの該オーディオストリームに再度変換するための手段と、
パケットの出力エグレスオーディオストリームを作成するために該オーディオストリームをパケット化するための手段と、
該第１のオーディオソースからの該オーディオの代わりにネットワークを介して該エグレスオーディオチャネルのパケットの該出力エグレスオーディオストリームを転送するための手段と、
を含む、システム。
【請求項５３】
インターネットを介した音声（ＶＯＩＰ）電話呼び出しに対してオーディオを介したノイズのないスイッチを導入するためのシステムであって、
宛先デバイスとメディアサーバとの間のＶＯＩＰ電話呼び出しを確立するための手段と、
第１のオーディオソースに対して優先度情報を設定するための手段と、
設定された優先度情報を含むエグレスパケットの第１のオーディオストリームを配信するための手段と、
オーディオを介してノイズのないスイッチを受信する利用可能性について呼び出しステータスを決定するための手段と、
前記呼び出しステータス決定工程が、前記確立されたＶＯＩＰ電話呼び出しがオーディオを介してノイズのないスイッチを受信する候補であることを示す場合、オーディオにわたってノイズのないスイッチを含む呼び出しイベントを処理するための手段と
を含む、システム。
【請求項５４】
前記処理手段は、
オーディオを介してノイズのないスイッチに対する優先度情報を決定するための手段と、オーディオを介して該スイッチに対する該決定された優先度情報が前記第１のオーディオストリームの該設定された優先度情報よりも大きい場合、該確立されたＶＯＩＰ電話呼び出しにおける同期されたヘッダ情報を有するパケットの出力オーディオストリームにおけるオーディオを介してノイズのないスイッチを転送するための手段とを含む、請求項５３に記載のシステム。
【請求項５５】
第２のオーディオソースにおけるエグレスパケットの第２のオーディオストリームを生成するための手段であって、該オーディオストリームは、ペイロードにおけるオーディオを介して該ノイズのないスイッチを有する、手段と、
該エグレスパケットの該第２のオーディオストリームを変換するための手段と、
該確立されたＶＯＩＰ電話呼び出しのエグレスオーディオチャネルに関連付けられたＳＶＣに、該変換されたセルをスイッチングするための手段と、
該スイッチングセルを該エグレスパケットの第２のオーディオストリームに再度変換するための手段と、
該確立されたＶＯＩＰ電話呼び出しにおけるパケットの出力オーディオストリームを作成するために該第２のオーディオストリームをパケット化するための手段と、
第１のオーディオソースからのオーディオの代わりにネットワークを介して該確立されたＶＯＩＰ電話呼び出しにおける該エグレスオーディオチャネル上の該パケットの出力オーディオストリームを転送するための手段と
をさらに含む、請求項５４に記載のシステム。
【請求項５６】
インターネットを介した音声（ＶＯＩＰ）電話呼び出しに対してオーディオを介したノイズのないスイッチを導入するための方法であって、
ＶＯＩＰ電話呼び出しを確立する工程と、
前記確立されたＶＯＩＰ電話呼び出しにおける同期化されたヘッダ情報を有するパケットの出力オーディオストリームにおけるオーディオを介してノイズのないスイッチを転送する工程と
を包含する、方法。
【請求項５７】
ＶＯＩＰネットワークにおけるオーディオソース間のノイズのないスイッチングのための方法であって、
（Ａ）１つのオーディオソースを選択する工程と、
（Ｂ）エグレスオーディオチャネル上で同期されたヘッダ情報を有するパケットの出力オーディオストリームにおいて選択された１つのオーディオソースから宛先デバイスにオーディオを転送する工程と、
（Ｃ）別のオーディオソースを選択する工程と、
（Ｄ）同じエグレスオーディオチャネル上で同期されたヘッダ情報を有するパケットの出力オーディオストリームにおいて選択された別のオーディオソースから該宛先デバイスにオーディオを転送する工程と
を包含する、方法。
【請求項５８】
前記別のオーディオソースは、内部オーディオソースを包含し、前記転送する工程（Ｂ）の前に該内部オーディオソースにおいて生成されたＩＰパケットから該出力オーディオストリームのためにオーディオペイロードを抽出する工程をさらに包含する、請求項５７に記載の方法。
【請求項５９】
前記別のオーディオソースは、外部オーディオソースを含み、前記転送する工程（Ｂ）の前に該外部オーディオソースにおいて生成されたＩＰパケットから該出力オーディオストリームのためにオーディオペイロードを抽出する工程をさらに包含する、請求項５７に記載の方法。
【請求項６０】
（Ａ）エグレスオーディオチャネル上で同期されたヘッダ情報を有するパケットの出力オーディオストリームにおける１つのオーディオソースから宛先デバイスにオーディオを転送する工程と、
（Ｂ）同じエグレスオーディオチャネル上で同期されたヘッダ情報を有するパケットの出力オーディオストリームにおける別の独立オーディオソースから該宛先デバイスにオーディオを転送する工程であって、それにより該宛先デバイスにおけるユーザは、ＶＯＩＰネットワークにおける独立したオーディオソースから転送されたオーディオ間のノイズのないスイッチを認識する、工程と
を包含する、方法。
【請求項６１】
（Ａ）エグレスオーディオチャネル上で同期されたヘッダ情報を有するパケットの出力オーディオストリームにおける１つのオーディオソースから宛先デバイスにオーディオを転送する手段と、
（Ｂ）同じエグレスオーディオチャネル上で同期されたヘッダ情報を有するパケットの出力オーディオストリームにおける別の独立オーディオソースから該宛先デバイスにオーディオを転送する工程であって、それにより、該宛先デバイスにおけるユーザは、ＶＯＩＰネットワークにおける独立したオーディオソースから転送されたオーディオ間を介してノイズのないスイッチを認識する、手段と
を含む、方法。